(57)【要約】【課題】専用のデータ復号手段を用いず、バッファ容量を増やさずＤＶデータのフィールド精度の特殊再生を行う。【解決手段】データ再生装置１のストリームコントローラ１５は、システムコントローラ２１に制御され、ストレージデバイスから送られたＤＶデータのデータストリームを入力し、取得したＤＶフレーム＃１をバッファメモリ１６に取り込む（図５；状態Ａ→状態Ｂ）。続いて、ストリームコントローラ１５は、バッファメモリ１６上にてＤＶフレーム＃１の複製であるＤＶフレーム＃１′を作成する（図５；状態Ｂ→状態Ｃ）。次に、ＡＵＸデータ書換部１７は、システムコントローラ２１に制御されて、ＤＶフレーム＃１のＡＵＸデータのＦＦフラグとＦＳフラグをＦＦ＝０及びＦＳ＝１に、またＤＶフレーム＃１′のＡＵＸデータのＦＦフラグとＦＳフラグをＦＦ＝０及びＦＳ＝０に書き換える（図５；状態Ｃ→状態Ｄ）。【選択図】図５
2005328289.tif 000002
【特許請求の範囲】
【請求項１】
デジタルビデオデータを取得する取得手段と、
上記取得手段にて取得したデジタルビデオデータをフレーム毎に一時的に記憶する一時記憶手段と、
上記一時記憶手段に記憶されたデジタルビデオデータのフレームを元フレームとするとき上記デジタルビデオデータに含まれ且つ出力画像データを指定している予備データを書き換えることにより該元フレームに続いて出力される出力フレームを生成する出力フレーム生成制御手段と、
上記予備データにしたがって上記デジタルビデオデータを復号するデータ復号手段と、
上記データ復号手段で復号されたデジタルビデオデータを外部に出力する出力手段と
を備えることを特徴とするデータ再生装置。
【請求項２】
上記出力フレーム生成制御手段は、上記元フレームを上記一時記憶手段内に複製し該元フレーム及び複製して得られたフレームに含まれる予備データを書き換えることにより出力フレームを生成することを特徴とする請求項１記載のデータ再生装置。
【請求項３】
上記出力フレーム生成制御手段は、上記一時記憶手段に記憶された元フレーム及び上記複製して得られたフレームの予備データのうちフィールドタイプを決定する情報が記述された所定ビットを書き換えることにより出力フレームを生成することを特徴とする請求項２記載のデータ再生装置。
【請求項４】
上記出力フレーム生成制御手段は、上記元フレームを構成する複数のシーケンスのうち上記データ復号手段に出力済みのシーケンスから順に上記元フレームに続いて出力されるフレームを構成するシーケンスに書き換えることにより出力フレームを生成することを特徴とする請求項１記載のデータ再生装置。
【請求項５】
上記出力フレーム生成制御手段は、上記出力済みのシーケンスから順に次に出力されるフレームを構成するシーケンスへ書き換えるとき、上記出力画像データのフィールドタイプを決定する情報が記述された所定ビットを書き換えることにより出力フレームを生成することを特徴とする請求項４記載のデータ再生装置。
【請求項６】
デジタルビデオデータを取得する取得工程と、
上記取得工程にて取得したデジタルビデオデータをフレーム毎に一時的に記憶する一時記憶手段に記憶したデジタルビデオデータのフレームを元フレームとするとき上記デジタルビデオデータに含まれ且つ出力画像データを指定している予備データを書き換えることにより該元フレームに続いて出力される出力フレームを生成する出力フレーム生成制御工程と、
上記予備データにしたがって上記デジタルビデオデータを復号するデータ復号工程と、
上記データ復号工程で復号されたデジタルビデオデータを外部に出力する出力工程と
を有することを特徴とするデータ再生方法。
【請求項７】
上記出力フレーム生成制御工程は、上記元フレームを上記一時記憶手段内に複製し該元フレーム及び複製して得られたフレームに含まれる予備データを書き換えることにより出力フレームを生成することを特徴とする請求項６記載のデータ再生方法。
【請求項８】
上記出力データ生成制御工程は、上記一時記憶手段に記憶された元フレーム及び上記複製して得られたフレームの予備データのうちフィールドタイプを決定する情報が記述された所定ビットを書き換えることにより出力フレームを生成することを特徴とする請求項７記載のデータ再生方法。
【請求項９】
上記出力データ生成制御工程は、上記元フレームを構成する複数のシーケンスのうち上記データ復号工程にて復号済みのシーケンスから順に上記元フレームに続いて出力されるフレームを構成するシーケンスに書き換えることにより出力フレームを生成することを特徴とする請求項６記載のデータ再生方法。
【請求項１０】
上記出力データ生成制御工程は、上記出力済みのシーケンスから順に次に出力されるフレームを構成するシーケンスへ書き換えるとき、上記出力画像データのフィールドタイプを決定する情報が記述された所定ビットを書き換えることにより出力フレームを生成することを特徴とする請求項９記載のデータ再生方法。
【発明の詳細な説明】
【技術分野】
【０００１】
本発明は、データ再生装置及びデータ再生方法に関し、特に、ＤＶ（Digital Video）データを再生するデータ再生装置及びデータ再生方法に関する。
【背景技術】
【０００２】
従来、デジタルビデオカメラにて録画したＤＶデータストリームの再生装置は、フレーム精度による特殊再生が一般的であるため、スロー再生、早送り再生等の特殊再生時、特にスロー再生時には再生画像の動きの粗さが目立ってしまう。そのため、再生画像の精度を高めるためにフィールド精度の特殊再生を試みる場合には、外部から出力フィールドを選択することができる機能を備えたＤＶデータ再生装置を使用するか、設定したモードにしたがって、データに関する情報が記述された予備データ（Auxiliary）の書き換えやストリーム制御を行うことでフィールド精度の特殊再生を実現する機能を備えた専用のＤＶコーデックを利用する等の方法がとられていた。後者の場合には、ＤＶコーデックへのコマンド発行とＤＶコーデックへのストリーム送出制御とを同時に行わなくてはならなかった。このように、フィールド精度の特殊再生は、限られた装置によってのみ可能な技術であった。
【０００３】
例えば、汎用の映像データ形式であるＭＰＥＧ（Moving Picture Experts Group）規格に準拠したＭＰＥＧビデオ信号を扱う場合も同様であって、特殊再生のＭＰＥＧストリームを既存デコーダにてデコードできるようにするために、ピクチャを表示する順序を規定する制御データを書き換える技術が提案されている（例えば、特許文献１参照）。
【０００４】
【特許文献１】特開２００２−０７７８１５号公報
【発明の開示】
【発明が解決しようとする課題】
【０００５】
本発明は、特殊なコーデックを設けることなく、或いはバッファ量を増やすことなく既存のデコーダによってフィールド精度の特殊再生を実現可能とするデータ再生装置及びデータ再生方法を提供することを目的とする。
【課題を解決するための手段】
【０００６】
上述した目的を達成するために、本発明に係るデータ再生装置は、デジタルビデオデータを取得する取得手段と、取得手段にて取得したデジタルビデオデータをフレーム毎に一時的に記憶する一時記憶手段と、一時記憶手段に記憶されたデジタルビデオデータのフレームを元フレームとするときデジタルビデオデータに含まれ且つ出力画像データを指定している予備データを書き換えることにより該元フレームに続いて出力される出力フレームを生成する出力フレーム生成制御手段と、予備データにしたがってデジタルビデオデータを復号するデータ復号手段と、データ復号手段で復号されたデジタルビデオデータを外部に出力する出力手段とを備え、出力フレーム生成制御手段において、一時記憶手段に記憶された元フレームの予備データを書き換えることにより、この元フレームに続いて出力される出力フレームを生成する。
【０００７】
ここで、出力フレーム生成制御手段は、元フレームを一時記憶手段内に複製し該元フレーム及び複製して得られたフレームに含まれる予備データを書き換えることにより出力フレームを生成する。また、出力フレーム生成制御手段は、元フレームを構成する複数のシーケンスのうちデータ復号手段に出力済みのシーケンスから順に元フレームに続いて出力されるフレームを構成するシーケンスに書き換えることにより出力フレームを生成してもよい。これらの場合には、出力フレーム生成制御手段は、出力画像データのフィールドタイプを決定する情報が記述された所定ビットを書き換える。これにより、この予備データに指定されるフレームが生成される。
【０００８】
上述した目的を達成するために、本発明に係るデータ再生方法は、デジタルビデオデータを取得する取得工程と、取得工程にて取得したデジタルビデオデータをフレーム毎に一時的に記憶する一時記憶手段に記憶したデジタルビデオデータのフレームを元フレームとするときデジタルビデオデータに含まれ且つ出力画像データを指定している予備データを書き換えることにより該元フレームに続いて出力される出力フレームを生成する出力フレーム生成制御工程と、予備データにしたがってデジタルビデオデータを復号するデータ復号工程と、データ復号工程で復号されたデジタルビデオデータを外部に出力する出力工程とを有し、一時記憶手段に記憶された元フレームの予備データを書き換えることにより、この元フレームに続いて出力される出力フレームを生成する。
【０００９】
ここで、出力フレーム生成制御工程では、元フレームが一時記憶手段内に複製され、該元フレーム及び複製して得られたフレームに含まれる予備データが書き換えられることにより出力フレームが生成される。また、出力フレーム生成制御工程では、元フレームを構成する複数のシーケンスのうちデータ復号工程に出力済みのシーケンスから順に元フレームに続いて出力されるフレームを構成するシーケンスに書き換えることにより出力フレームが生成されてもよい。これらの場合には、出力フレーム生成制御工程は、出力画像データのフィールドタイプを決定する情報が記述された所定ビットを書き換える。これにより、この予備データに指定されるフレームが生成される。
【発明の効果】
【００１０】
本発明によれば、特殊機能を有するデータ再生処理部を用いなくとも、汎用のデータ再生処理部を用いてフィールド精度の特殊再生が実現可能になる。また、バッファサイズを増やすことなくフィールド精度の特殊再生が可能になる。これにより、特殊再生時の再生画像の画質が向上する。また、再生モードの切換にも素早く対応して指定された再生を実行することができる。
【発明を実施するための最良の形態】
【００１１】
本発明の具体例として示すデータ再生装置は、デジタルビデオデータ（以下、ＤＶデータと記す）を入力してこれを再生する、或いは表示装置等のほかの機器に再生信号として出ＤＶデータの再生機能を有する機器であって、入力したＤＶデータを復号するためのデコーダ（Decoder）から出力されるデータに関する情報が記述された予備データ（Auxiliary）を書き換えることによってフィールド精度による特殊再生を実現している。ＤＶデータに記述された予備データ（以下、ＡＵＸデータと記す。）には、コントロール情報、記録時間、記録年月日の情報等が記述されている。
【００１２】
以下、本発明の具体例として示すデータ再生装置を図面を参照して詳細に説明する。
【００１３】
図１に示すデータ再生装置１は、ＤＶデータの取得手段としての入力インターフェイス１１と、入力したＤＶデータを分離するデータ分離部１２と、実データとこの実データに付随する予備データ（以下、ＡＵＸデータと）とを分離するデータ分離部１３と、ＡＵＸデータを再生するＡＵＸデータ再生部１４と、入力したＤＶデータのストリームをコントロールするストリームコントローラ１５と、ストリームコントローラの作業領域としてのバッファメモリ１６と、ＡＵＸデータを書き換えるＡＵＸデータ書換部１７と、ＤＶデータを復号する機能を有するデータ再生処理部１８と、復号されたＤＶデータをデジタル／アナログ変換するＤＡＣ（Digital to Analog Converter）１９と、データ再生処理部にて復号されたデータを外部に出力する出力インターフェイス２０とを備えている。これらの各構成は、システムコントローラ２１によって統括制御されている。上述の図で番号をａ，ｂと分けて記した構成については、ａがビデオデータのための、ｂがオーディオデータのための構成要素であることを表している。
【００１４】
入力インターフェイス１１は、ＤＶデータの入力先として、例えば、ＤＶテープ、ＨＤＤ等、ＤＶデータを記録可能なストレージデバイスから送られたＤＶデータのデータストリームを入力する。データ分離部１２は、入力されたＤＶデータをビデオデータとオーディオデータとに分離する。データ分離部１２にて分離されたＤＶデータのうちビデオデータはデータ分離部１３ａに供給され、オーディオデータは１３ｂに供給される。ビデオデータ及びオーディオデータにはＡＵＸデータ及びパリティが付加されている。
【００１５】
データ分離部１３は、このパリティを用いてエラー訂正処理を行って実データとＡＵＸデータとを分離している。データ分離部１３ａは、供給されたビデオデータに対して実データとビデオデータの予備データであるＶＡＵＸデータ（Video Auxiliary）とを分離する。ＶＡＵＸデータには、チャンネル番号、モノクロ／カラー、ソースコード、チャンネルカテゴリ、記録時間、記録年月日等の情報を記述することができる。
【００１６】
ビデオデータの実データは、ストリームコントローラ１５及びデータ再生処理部１８ａに供給される。分離されたＶＡＵＸデータは、ＡＵＸデータ再生部１４ａに供給される。ＡＵＸデータ再生部１４ａでは、ビデオデータの予備データであるＶＡＵＸデータが再生される。再生されたＶＡＵＸデータは、ストリームコントローラ１５に送られ、データ復号等のためのコントロールデータとして使用される。
【００１７】
バッファメモリ１６は、少なくとも１フレーム分のＶＡＵＸデータを記憶する容量を有し、ストリームコントローラの作業領域として使用される。ＡＵＸデータ書換部１７は、バッファメモリ１６に格納されたＶＡＵＸデータの所定ビットをシステムコントローラ２１からの制御に基づいて書き換えることによって、データ再生処理部１８から出力されるデータ、すなわち出力されるフィールドがトップフィールドかボトムフィールドかを指定している。入力されたＤＶデータの所定ビットがストリームコントローラ１５及びＡＵＸデータ書換部１７によって書き換えられる処理については、後段にて説明する。
【００１８】
データ再生処理部１８ａは、再生データに対して、２次元ハフマン符号の復号、逆量子化及び逆ＤＣＴを行って、圧縮データの伸長処理を行う。また、データ再生処理部１８ａは、デブロック処理やデシャフリング処理が行われる。データ再生処理部１８ａからは、輝度信号Ｙと色差信号Ｒ−Ｙ及びＢ−Ｙからなるディジタルコンポーネントビデオデータが出力される。このディジタルコンポーネントビデオデータがＤＡＣ１９ａに供給される。
【００１９】
ＤＡＣ１９ａは、このディジタルコンポーネントビデオデータをアナログコンポーネントビデオデータに変換する。変換された得られたアナログコンポーネントビデオデータは、出力インターフェイス２０ａから出力される。コンポジット信号を出力する場合には、輝度信号Ｙ、色差信号Ｒ−Ｙ及びＢ−Ｙを合成し、同期信号を付加して出力する。出力インターフェイス２０ａから出力されたＤＶデータは、モニタに送られてユーザに映像が提示される。
【００２０】
一方、データ分離部１２からのオーディオデータは、データ分離部１３ｂに供給される。データ分離部１３ｂに供給されたオーディオデータ中には、予備データ及びパリティが付加されている。データ分離部１３ｂで、このパリティを用いてエラー訂正処理を行い、実オーディオデータとオーディオデータの予備データであるＡＡＵＸデータ（Audio Auxiliary）とを分離する。ＡＡＵＸデータには、２チャンネル／４チャンネル、サンプリング周波数、エンファシスの有無、記録時間、記録年月日等の情報を記述することができる。
【００２１】
オーディオデータは、データ再生処理部１８ｂに供給される。分離されたＡＡＵＸデータは、ＡＵＸデータ再生部１４ｂに供給される。ＡＵＸデータ再生部１４ｂで、ＡＡＵＸデータが再生される。このＡＡＵＸデータは、ストリームコントローラ１５及びデータ再生処理部１８ｂに供給される。
【００２２】
データ再生処理部１８ｂは、オーディオデータの再生処理を行う。このオーディオデータの再生処理には、ＡＵＸデータ再生部１４ｂで再生されたＡＡＵＸデータがコントロールデータとして使用される。このデータ再生処理部１８ｂからは、ディジタルオーディオデータが出力される。このディジタルオーディオデータがＤＡＣ１９ｂに供給される。ＤＡＣ１９ｂは、ディジタルオーディオデータをアナログオーディオデータに変換し、変換されたアナログオーディオデータが出力インターフェイス２０ｂから出力される。
【００２３】
システムコントローラ２１は、出力されるビデオデータが指定された特殊再生になるようにストリームコントローラ１５及びＡＵＸデータ書換部１７を制御するとともにデータ再生装置１の各構成を統括制御している。
【００２４】
ここで、ＤＶデータに関連する情報を示す予備データ（ＡＵＸデータ）のデータ形式（フォーマット）について図２乃至図４を用いて説明する。
【００２５】
ＡＵＸデータの１フレームは、図２及び図３に示すように、１２０，０００バイトであり、この１フレームは、２５０パケットに分割され送受される。また、ＡＵＸデータの１フレームは、ＮＴＳＣ方式であれば１０個のＤＩＦシーケンスからなり、ＰＡＬ方式であれば１２個のＤＩＦシーケンスから構成される。１個のＤＩＦシーケンスは、８０バイトのＤＩＦブロック１５０個で構成され、８０バイトのヘッダセクションＨ０、１６０バイトのサブコードセクションＳＣ０、ＳＣ１、２４０バイトのＶＡＵＸセクションＶＡ０、ＶＡ１、ＶＡ２、１１５００バイトのオーディオ及びビデオセクションとからなる。
【００２６】
ＶＡＵＸデータは、５バイトの固定長ブロックとして“パック”単位で構成されている。パックとは、データグループの最小単位のことであり、関連するデータを集めて１パックが構成されている。第１のバイト（ＰＣ０）は、データ内容を示すヘッダであり、第２のバイト（ＰＣ１）から第５のバイト（ＰＣ４）にデータ内容が記録される。ＶＡＵＸセクションには、映像ソースに関連する情報、録音録画に関する情報等を表した予備データが記述されており、このなかでデータ再生処理部の出力画像データを指定する情報がソースコントロールパックに記述されている。
【００２７】
図４に、ソースコントロールパックの構成を示す。ソースコントロールパックは、ＶＡＵＸセクションに記録されており、ヘッダであるＰＣ０が“０１１００００１”のときに規定される。ＰＣ１には、ＣＧＭＳ、ＩＳＲ、ＣＭＲ、ＳＳが記述される。ＣＧＭＳ（Copy Generation Management System）は、“００”、“０１”、“１０”、“１１”によってコピー可能な世代を示す。ＩＳＲ（Input Source of just previous Recording）は、記録ソースデータがデジタルかアナログかを示し、“００ｂ”であればアナログ入力、“０１ｂ”であればデジタル入力、“１０ｂ”であればリザーブ、“１１ｂ”であれば情報なしの場合を示す。ＣＭＲ（The number of times Compression）は、圧縮倍率を示し、“００ｂ”であれば圧縮１回、“０１ｂ”であれば２回圧縮、“１０ｂ”であれば３回圧縮、“１１ｂ”であれば情報なしの場合を示す。ＳＳ（Source and recorded Situation）は、ソース及び記録状況を示す。ＰＣ２には、ＲＥＣＳＴ（Recording Start Point）、ＲＥＣＭＯＤＥ（Recording Mode）、ＤＩＳＰ（Display Select Mode）が記述される。
【００２８】
ＰＣ３には、１フレーム期間中にトップフィールド（ファーストフィールド）とボトムフィールド（セカンドフィールド）の両フィールドがそれぞれ出力されるか、若しくはどちらかのフィールドが２度出力されるかを表すＦＦ（Frame/Field）フラグ、どちらのフィールドを出力するかを表すＦＳ（First/Second）フラグが記述される。
【００２９】
データ再生処理部１８ａが出力する出力画像のフィールドタイプは、このＦＦフラグとＦＳフラグの組合せにより決定されている。具体的に、ＦＦ＝１、ＦＳ＝１であれば、トップフィールド（ファーストフィールド）、ボトムフィールド（セカンドフィールド）の順で出力する。ＦＦ＝１、ＦＳ＝０であれば、ボトムフィールド、トップフィールドの順で出力する。ＦＦ＝０、ＦＳ＝１であれば、トップフィールドを２回出力し、ＦＦ＝０、ＦＳ＝０であれば、ボトムフィールドを２回出力するようになっている。通常、ＡＵＸデータ中のＦＦフラグ、ＦＳフラグは、ＦＦ＝１、ＦＳ＝１となっているため、データ再生処理部は、トップフィールド（ファーストフィールド）に続いてボトムフィールド（セカンドフィールド）を出力するようになっている。
【００３０】
ＰＣ３には、このほかに画像が直前のフレームと同一か否かを示すＦＣ（Frame Change）フラグ、１フレーム内の２つのフィールドのデータがインタレースされたものであるかを示すＩＬ（Interlace）フラグ、１フレーム内の２つのフィールド間の時間間隔を示すＳＴ（Still-field picture）フラグ、静止画像であるかを示すＳＣ（Still camera picture）フラグ、ＢＣＳＹＳ（Broadcast system）が記述される。ＤＩＳＰとＢＣＳＹＳとで表示サイズが規定されている。また、ＰＣ４には、ビデオソースのカテゴリを表すＧＥＮＲＥ  ＣＡＴＥＧＯＲＹが記述される。詳細は、タイマアクトデート（ＴＩＭＥＲ  ＡＣＴ  ＤＡＴＥ）パックに記述されている。
【００３１】
上述したソースコントロールパックは、奇数番号（Odd）のＤＩＦシーケンスであればＶＡ０に記録され、偶数番号（Even）のＤＩＦシーケンスであればＶＡ２に記録されることが決められている。ＦＦフラグ及びＦＳフラグは、奇数番号（Odd）のＤＩＦシーケンスであればＶＡ０の１２バイト目の先頭ビットにあたり、偶数番号（Even）のＤＩＦシーケンスであればＶＡ２の５７バイト目の先頭ビットにあたる。
【００３２】
続いて、本発明の具体例として示すデータ再生装置１による特殊再生処理について説明する。
【００３３】
第１の具体例として示す再生処理は、元フレームをバッファメモリ１６内にて複製し該元フレーム及び複製して得られたフレームに含まれるＡＵＸデータを書き換えて出力フレームを生成する方法である。また、第２の具体例として示す再生処理は、元フレームを構成する複数のシーケンスのうちデータ再生処理部１８に出力済みのシーケンスから順に元フレームに続いて出力されるフレームのシーケンスに書き換える方法である。何れの処理の場合も、データ再生装置１は、上述したＦＦフラグ及びＦＳフラグを書き換えることにより出力フレームを指定している。
【００３４】
＜具体例１−１：通常再生モード時に正方向低速度再生モードが指定された場合＞
まず、第１の具体例においてフィールド精度のスロー再生を行う処理について説明する。データ再生装置１が正方向通常再生から正方向低速度再生を行う際、出力フレームを生成するためのＡＵＸデータの書換処理の具体例として、次の処理があげられる。
【００３５】
具体例１−１について、図５及び図６を用いて説明する。以下では説明の便宜上、ＤＶデータストリームのうち１枚分のＤＶフレームに対する処理について扱う。図５は、フレームを複製しＡＵＸデータを書き換える処理を模式的に示している。この場合、データ再生装置１は、バッファメモリ１６にてＤＶデータを複製し元のＤＶデータのＶＡＵＸデータと複製したＤＶデータのＶＡＵＸデータの両者に対して出力順序を指定するＦＦフラグ及びＦＳフラグを変更する。
【００３６】
データ再生装置１のストリームコントローラ１５は、システムコントローラ２１に制御されて、ＤＶテープ、ＨＤＤ等といったＤＶデータを記録可能なストレージデバイスから送られたＤＶデータストリームを入力し、取得したＤＶデータの１フレームであるＤＶフレーム＃１をバッファメモリ１６に取り込む。これは、図５において状態Ａ→状態Ｂとして示されている。ストリームコントローラ１５は、バッファメモリ１６に格納したＤＶフレーム＃１に対して、図５の状態Ｃに示すように、バッファメモリ１６上においてＤＶフレーム＃１の複製であるＤＶフレーム＃１′を作成する。
【００３７】
次に、ＡＵＸデータ書換部１７は、図５の状態Ｄに示すように、システムコントローラ２１に制御されて、ＤＶフレーム＃１のＡＵＸデータのＦＦフラグとＦＳフラグをＦＦ＝０及びＦＳ＝１に、またＤＶフレーム＃１′のＡＵＸデータのＦＦフラグとＦＳフラグをＦＦ＝０及びＦＳ＝０に書き換える。図５では、ＡＵＸデータのＦＦフラグとＦＳフラグがＦＦ＝０及びＦＳ＝１に書き換えられたフレームを“ＤＶフレーム＃１＿ＴＴ”とし、ＦＦ＝０及びＦＳ＝０に変換されたフレームを“ＤＶフレーム＃１＿ＢＢ”と表されている。ストリームコントローラ１５は、入力したＤＶフレームのＦＦフラグ及びＦＳフラグに基づいてデータ再生処理部１８ａにＤＶデータを入力したＤＶフレームのＦＦフラグ及びＦＳフラグがＦＦ＝０、ＦＳ＝１であれば、データ再生処理部１８ａにトップフィールドを２回出力し、ＦＦ＝０、ＦＳ＝０であれば、データ再生処理部１８ａにボトムフィールドを２回出力する。ここで、スロー再生のスピードが偶数分の１の場合、ストリームコントローラ１５は、１フレーム期間中にトップフィールド又はボトムフィールドの何れかを２度出力するようにシステムコントローラ２１によって制御されている。上述した図５に示す例は、スロー再生スピードが１／４の場合の処理である。
【００３８】
スロー再生スピードが偶数分の１の場合におけるデータ再生処理部１８ａに送られるＡＵＸデータ書換終了後のＤＶフレームとデータ再生処理部１８ａにて復号されＤＡＣ１９ａに送出されるＤＶデータについて図６を用いて説明する。
【００３９】
図６（ａ）に模式的に示すように、データ再生処理部１８ａは、バッファメモリ１６に記憶されストリームコントローラ１５によって送られたＤＶフレームに含まれるＶＡＵＸデータのＦＦフラグとＦＳフラグに基づいてＤＶフレームを復号し、ＤＡＣ１９ａに送っている。例えば、“ＤＶフレーム＃１＿ＴＴ”であれば、ＡＵＸデータのＦＦフラグとＦＳフラグがＦＦ＝０及びＦＳ＝１であるからトップフィールドが２回出力される。
【００４０】
スロー再生スピードが１／４であれば、図５に示す例のようにストリームコントローラ１５は、ＤＶフレーム＃１から生成された“ＤＶフレーム＃１＿ＴＴ”と、ＤＶフレーム＃１の複製であるＤＶフレーム＃１′から生成された“ＤＶフレーム＃１＿ＢＢ”とをバッファメモリ１６から読み出し、“ＤＶフレーム＃１＿ＴＴ”を２度出力した後、出力フレームを“ＤＶフレーム＃１＿ＢＢ”に切り換えて“ＤＶフレーム＃１＿ＢＢ”を２度出力する。
【００４１】
ストリームコントローラ１５がデータ再生処理部１８ａにＤＶフレームを入力するタイミングと、データ再生処理部１８ａにおいて復号されたＤＶデータがＤＡＣ１９ａに出力されるタイミングとを図６（ｂ）に示す。
【００４２】
データ再生処理部１８ａは、ストリームコントローラ１５によって送られるＶＡＵＸデータのＦＦフラグとＦＳフラグに基づいてＤＶフレームを復号する。このときデータ再生処理部１８ａでは、ＤＶフレームの復号処理にかかる所定の遅延の後、ＤＡＣ１９ａに画像データが出力される。ＤＡＣ１９ａは、ＶＡＵＸデータのＦＳフラグ及びＦＦフラグに基づく再生データを送信する。図６（ｂ）では、“ＤＶフレーム＃１＿ＴＴ”が２度出力された後、“ＤＶフレーム＃１＿ＢＢ”が２度出力される。これにより、ＤＡＣ１９ａには、ＤＶフレーム＃１のトップフィールドが４回出力され、続いてＤＶフレーム＃１のボトムフィールドが４回出力される。すなわち、出力フレームが４フィールド期間周期で切り替わるようにＡＵＸデータが書き換えられ、結果として再生スピードが１／４の正方向スロー再生が実現できる。
【００４３】
図６には図示しないが、ＤＶフレーム＃１以降のフレームも同様である。ストリームコントローラ１５は、バッファメモリ１６上にて入力したＤＶフレームの複製データを作成し、システムコントローラ２１によって指定されたフィールドが送出されるようにＡＵＸデータを書き換える処理を行う。
【００４４】
続いて、スロー再生モードにおいて、再生スピードが奇数分の１の場合について説明する。一例として１／３のスロー再生の場合について説明する。
【００４５】
スロー再生スピードが奇数分の１の場合におけるデータ再生処理部１８ａに送られるＡＵＸデータ書換終了後のＤＶフレームとデータ再生処理部１８ａにて復号されＤＡＣ１９ａに送出されるＤＶデータについて図７を用いて説明する。
【００４６】
ＡＵＸデータ書換部１７は、システムコントローラ２１に制御され、バッファメモリ１６上のＤＶフレーム＃１及び＃１の複製であるＤＶフレーム＃１′に対して、ＤＶフレーム＃１のＡＵＸデータのＦＦフラグとＦＳフラグをＦＦ＝０及びＦＳ＝１に書き換えたフレームを生成する。図７では、ＡＵＸデータのＦＦフラグとＦＳフラグがＦＦ＝０及びＦＳ＝１に変換されたフレームを“ＤＶフレーム＃１＿ＴＴ”とし、ＤＶフレーム＃１′のＡＵＸデータのＦＦフラグとＦＳフラグをＦＦ＝１及びＦＳ＝１に変換されたフレームを“ＤＶフレーム＃１＿ＴＢ”と表している。
【００４７】
図７（ａ）に模式的に示すように、データ再生処理部１８ａは、バッファメモリ１６に記憶されストリームコントローラ１５によって送られたＤＶフレームに含まれるＶＡＵＸデータのＦＦフラグとＦＳフラグに基づいてＤＶフレームを復号し、ＤＡＣ１９ａに送っている。例えば、“ＤＶフレーム＃１＿ＴＴ”であれば、ＡＵＸデータのＦＦフラグとＦＳフラグがＦＦ＝０及びＦＳ＝１であるからトップフィールドが２回出力される。一方、“ＤＶフレーム＃１＿ＴＢ”であれば、ＡＵＸデータのＦＦフラグとＦＳフラグがＦＦ＝１及びＦＳ＝１であるからトップフィールド、ボトムフィールドの順番で出力される。
【００４８】
再生スピードが通常の１／３のスロー再生を行うとき、ストリームコントローラ１５は、ＤＶフレーム＃１、及び＃１の複製であるＤＶフレーム＃１′から生成された“ＤＶフレーム＃１＿ＴＴ”及び“ＤＶフレーム＃１＿ＴＢ”をバッファメモリ１６から読み出してデータ再生処理部１８ａへ送出する。このとき、ストリームコントローラ１５は、“ＤＶフレーム＃１＿ＴＢ”をデータ再生処理部１８ａへ送出するのと併行して、バッファメモリ１６上において１つ前に送出された“ＤＶフレーム＃１＿ＴＴ”のＡＵＸデータのＦＦフラグとＦＳフラグとをＦＦ＝０及びＦＳ＝０に書き換え、新たに“ＤＶフレーム＃１＿ＢＢ”を生成する。ストリームコントローラ１５は、“ＤＶフレーム＃１＿ＴＢ”に続いて“ＤＶフレーム＃１＿ＢＢ”をデータ再生処理部１８ａに送出する。
【００４９】
ここでは、ストリームコントローラ１５によって、データ再生処理部１８ａには“ＤＶフレーム＃１＿ＴＴ”、“ＤＶフレーム＃１＿ＴＢ”、“ＤＶフレーム＃１＿ＢＢ”が順に送られることになる。
【００５０】
ストリームコントローラ１５がデータ再生処理部１８ａにＤＶフレームを入力するタイミングと、データ再生処理部１８ａにおいて復号されたＤＶデータがＤＡＣ１９ａに出力されるタイミングとを図７（ｂ）に示す。
【００５１】
データ再生処理部１８ａでは、送られたＤＶフレームに対して、この復号処理にかかる所定の遅延の後、ＤＡＣ１９ａに画像データが出力される。ＤＡＣ１９ａは、ＶＡＵＸデータのＦＳフラグ及びＦＦフラグに基づく再生データを送信する。図７（ｂ）には、“ＤＶフレーム＃１＿ＴＴ”、“ＤＶフレーム＃１＿ＴＢ”、“ＤＶフレーム＃１＿ＢＢ”がデータ再生処理部１８ａに対して順に送られる様子が示されている。ＤＡＣ１９ａには、“ＤＶフレーム＃１＿ＴＴ”によりＤＶフレーム＃１のトップフィールドが２回出力され、“ＤＶフレーム＃１＿ＴＢ”によりＤＶフレーム＃１のトップフィールド、ボトムフィールドがこの順に出力され、“ＤＶフレーム＃１＿ＢＢ”によりＤＶデータ＃１のボトムフィールドが２回出力される。
【００５２】
ストリームコントローラ１５は、図示しないＤＶフレーム＃１以降のフレームも同様にバッファメモリ１６上にて複製データを作成しシステムコントローラ２１によって指定されたフィールドを送出する。すなわち、出力フレームが３フィールド期間周期で切り替わるようにＡＵＸデータを書き換える。結果として再生スピードが１／４の正方向スロー再生が実現できる。
【００５３】
逆方向のスロー再生の場合、上述した例と同様、ストリームコントローラ１５がＤＶデータを記録可能なＤＶテープ、ＨＤＤ等のストレージデバイスから送られたＤＶフレームをバッファメモリ１６に読み込んだ後、このＤＶフレームを複製し、ＡＵＸデータ書換部１７によってＡＵＸデータが書き換えられる。このとき、データ再生処理部１８ａへの送出順序が、例えば、“ＤＶフレーム＃ｎ＿ＢＢ”、“ＤＶフレーム＃ｎ＿ＴＴ”、“ＤＶフレーム＃（ｎ−１）＿ＢＢ”、“ＤＶフレーム＃（ｎ−１）＿ＴＴ”になるように切り換えることで実現できる。
【００５４】
なお、データ再生装置１において、１／偶数で動作させるか、１／奇数で動作させるかは、設計段階にて自由に決めることができる。例えば、ユーザによってスロー再生ボタンが１回押されると標準の１／３の速度でのスロー再生とし、２回目が押されると１／４の速度でのスロー再生とする。
【００５５】
＜具体例１−２；通常再生モード時に一時停止が指定された場合＞
次に、第１の具体例においてデータ再生装置１が正方向通常再生から一時停止を行う際の出力フレームを生成するためのＡＵＸデータの書換処理について、図８用いて説明する。図８は、ＤＶフレームを複製しＡＵＸデータを書き換える処理を模式的に示している。
【００５６】
データ再生装置１におけるストリームコントローラ１５は、バッファメモリ１６にてＤＶデータを複製し元のＤＶデータのＶＡＵＸデータと複製したＤＶデータのＶＡＵＸデータの両者に対して出力順序を指定するＦＦフラグ及びＦＳフラグを変更する。ストリームコントローラ１５は、ＤＶフレーム＃１の表示中に一時停止要求が入力された場合、次に表示するＤＶフレーム＃２のＡＵＸデータをトップフィールド固定にするようにバッファメモリ１６上にてＤＶフレーム＃２のＶＡＵＸデータにおける出力順序を指定するＦＦフラグ及びＦＳフラグを変更する。
【００５７】
まず、ストリームコントローラ１５は、バッファメモリ１６上にＤＶフレーム＃２の複製であるＤＶフレーム＃２′を用意する。ＡＵＸデータ書換部１７は、システムコントローラ２１に制御され、バッファメモリ１６上のＤＶフレーム＃２及び＃２の複製であるＤＶフレーム＃２′に対して、ＤＶフレーム＃２のＡＵＸデータのＦＦフラグとＦＳフラグをＦＦ＝０及びＦＳ＝１に書き換えたフレームを生成する。図８では、ＡＵＸデータのＦＦフラグとＦＳフラグがＦＦ＝０及びＦＳ＝１に変換されたフレームを“ＤＶフレーム＃２＿ＴＴ”とし、ＤＶフレーム＃２′のＡＵＸデータのＦＦフラグとＦＳフラグをＦＦ＝１及びＦＳ＝１に変換されたフレームを“ＤＶフレーム＃２＿ＴＢ”と表されている。
【００５８】
図８（ａ）に模式的に示すように、データ再生処理部１８ａは、バッファメモリ１６に記憶されストリームコントローラ１５によって送られたＤＶフレームに含まれるＶＡＵＸデータのＦＦフラグとＦＳフラグに基づいてＤＶフレームを復号し、ＤＡＣ１９ａに送っている。例えば、“ＤＶフレーム＃２＿ＴＴ”であれば、ＡＵＸデータのＦＦフラグとＦＳフラグがＦＦ＝０及びＦＳ＝１であるからトップフィールドが２回出力される。“ＤＶフレーム＃１＿ＴＢ”であれば、ＡＵＸデータのＦＦフラグとＦＳフラグがＦＦ＝１及びＦＳ＝１であるからトップフィールド、ボトムフィールドの順番で出力される。
【００５９】
ストリームコントローラ１５がデータ再生処理部１８ａにＤＶフレームを入力するタイミングと、データ再生処理部１８ａにおいて復号されたＤＶデータがＤＡＣ１９ａに出力されるタイミングとを図８（ｂ）に示す。図の矢印Ａは一時停止が指示されたことを示し、矢印Ｂは一時停止が解除されたことを示す。
【００６０】
データ再生処理部１８ａでは、送られたＤＶフレームに対して、この復号処理にかかる所定の遅延の後、ＤＡＣ１９ａに画像データが出力される。ＤＡＣ１９ａは、ＶＡＵＸデータのＦＳフラグ及びＦＦフラグに基づく再生データを送信する。一時停止の場合、解除が指示されるまで、“ＤＶフレーム＃１＿ＴＴ”がデータ再生処理部１８ａに対して送出され続ける。ＤＡＣ１９ａには、“ＤＶフレーム＃１＿ＴＴ”によりＤＶフレーム＃１のトップフィールドが出力され続ける。これによって、ＤＶフレーム＃２のトップフィールドが再生し続けられ、再生画像は一時停止状態になる。
【００６１】
ストリームコントローラ１５は、一時停止が解除されると、“ＤＶフレーム＃２＿ＴＴ”に続いて“ＤＶフレーム＃２＿ＴＢ”をデータ再生処理部１８ａに送出する。その後は、ＤＶフレーム＃３、ＤＶフレーム＃４、・・・と続くＤＶフレームが正常に再生される順番にデータ再生処理部１８ａに送る。一時停止中であってもバッファメモリ１６にＤＶフレームデータを蓄積しておくことができるため、一時停止が解除された直後であっても、次に表示すべきＤＶフレームを速やかに復号処理することができる。
【００６２】
＜具体例１−３；正方向通常再生から早送り再生が指定された場合＞
続いて、第１の具体例において、正方向の通常再生モード時に早送り再生モードが指定された場合について説明する。早送り再生時にデータ再生処理部１８ａに送られるＡＵＸデータ書換終了後のＤＶフレームとデータ再生処理部１８ａにて復号されＤＡＣ１９ａに送出されるＤＶデータについて図９及び図１０を用いて説明する。
【００６３】
図９に、ストレージデバイスから送られるＤＶデータストリームから早送り再生に使用するデータを間引き再生する様子を示す。早送り再生では、セクション内のデータが間引き再生される。例えば、１セクションが１０フレームからなるＮＴＳＣ方式の場合、ストリームコントローラ１５は、１セクションを構成する１０フレームのうち４フレームを選択して早送り再生に使用する。セクションとは、ストリームコントローラ１５がストレージデバイスからバッファメモリ１６へ１回で転送可能なデータ纏まりである。
【００６４】
本具体例では、１セクション内にて２フレームおきにＤＶフレーム＃０、ＤＶフレーム＃３、ＤＶフレーム＃６、ＤＶフレーム＃９が使用される。選択された各フレームは、例えば、５フレーム期間分の表示に使用される。このように間引き再生するとき、１セクションから２０フレーム期間分の画像データが表示可能になる。そこで、１０倍速再生を行うには、次にバッファメモリ１６に転送する５フレーム期間分のＤＶデータストリームを２００フレーム程度先のフレームにする。
【００６５】
ＡＵＸデータ書換部１７は、システムコントローラ２１に制御され、バッファメモリ１６上のＤＶフレーム＃３及び＃３の複製であるＤＶフレーム＃３′に対して、ＤＶフレーム＃３のＡＵＸデータのＦＦフラグとＦＳフラグをＦＦ＝０及びＦＳ＝１に書き換えたフレームを生成する。図１０では、複製されたフレームも含め全てのフレームのＡＵＸデータのＦＦフラグとＦＳフラグは、ＦＦ＝０及びＦＳ＝１に変換され“ＤＶフレーム＃３＿ＴＴ”になっている。
【００６６】
図１０（ａ）に模式的に示すように、データ再生処理部１８ａは、バッファメモリ１６に記憶されストリームコントローラ１５によって送られたＤＶフレームに含まれるＶＡＵＸデータのＦＦフラグとＦＳフラグに基づいてＤＶフレームを復号し、ＤＡＣ１９ａに送っている。例えば、“ＤＶフレーム＃３＿ＴＴ”であれば、ＡＵＸデータのＦＦフラグとＦＳフラグがＦＦ＝０及びＦＳ＝１であるからトップフィールドが連続して出力される。
【００６７】
上記の方法で早送り再生を行う場合、トップフィールド→ボトムフィールド→トップフィールド→ボトムフィールド→・・・という通常の順番で表示すると表示画像がぶるぶる震えているように見えてしまう。そこで、早送り再生時に使用するＤＶフレームは、トップフィールドに固定する。ストリームコントローラ１５は、間引き再生時に選択されるＤＶフレームのトップフィールドが出力されるようにＡＵＸデータを書き換える。
【００６８】
再生スピードが１０倍の早送り再生を行うとき、ストリームコントローラ１５は、ＤＶフレーム＃０、ＤＶフレーム＃３、ＤＶフレーム＃６、ＤＶフレーム＃９からＦＦフラグ及びＦＳフラグを変換することにより生成された“ＤＶフレーム＃０＿ＴＴ”、“ＤＶフレーム＃３＿ＴＴ”、“ＤＶフレーム＃６＿ＴＴ”、“ＤＶフレーム＃９＿ＴＴ”をバッファメモリ１６から読み出して各フレームについて、５フレーム期間ずつ続けてデータ再生処理部１８ａへ送出する。
【００６９】
ストリームコントローラ１５がデータ再生処理部１８ａにＤＶフレームを入力するタイミングと、データ再生処理部１８ａにおいて復号されたＤＶデータがＤＡＣ１９ａに出力されるタイミングとを図１０（ｂ）に示す。
【００７０】
データ再生処理部１８ａでは、送られたＤＶフレームに対して、この復号処理にかかる所定の遅延の後、ＤＡＣ１９ａに画像データが出力される。ＤＡＣ１９ａは、ＶＡＵＸデータのＦＳフラグ及びＦＦフラグに基づく再生データを送信する。図１０（ｂ）には、“ＤＶフレーム＃３＿ＴＴ”が５フレーム期間分、“ＤＶフレーム＃６＿ＴＴ”が５フレーム期間分、データ再生処理部１８ａに対して順に送られる様子が示されている。ＤＡＣ１９ａには、“ＤＶフレーム＃３＿ＴＴ”によりＤＶフレーム＃１のトップフィールドが２回連続して出力され、５フレーム期間分続けて１０フィールド分送出される。
【００７１】
ストリームコントローラ１５は、２００フレーム先の次のセクションに対して、ＤＶフレーム＃ｎ、ＤＶフレーム＃ｎ＋３、ＤＶフレーム＃ｎ＋６、ＤＶフレーム＃ｎ＋９も同様にバッファメモリ１６上に作成したデータをシステムコントローラ２１によって指定されたフィールドで送出する。すなわち、出力フレームが１０フィールド期間周期で所定期間先のフレームに切り替わるようにＡＵＸデータを書き換える。結果として再生スピードが１０倍速の早送り再生が実現できる。
【００７２】
＜具体例１−４；早送り再生から正方向通常再生が指定された場合＞
続いて、第１の具体例において、早送り再生モードから正方向の通常再生が指定された場合について説明する。早送り再生時にデータ再生処理部１８ａに送られるＡＵＸデータ書換終了後のＤＶフレームとデータ再生処理部１８ａにて復号されＤＡＣ１９ａに送出されるＤＶデータについて図１１を用いて説明する。
【００７３】
図９及び図１０を用いて説明したように、早送り再生中は、ストリームコントローラ１５は、ＤＶフレーム＃０、ＤＶフレーム＃３、ＤＶフレーム＃６、ＤＶフレーム＃９からＦＦフラグ及びＦＳフラグを変換することにより、“ＤＶフレーム＃０＿ＴＴ”、“ＤＶフレーム＃３＿ＴＴ”、“ＤＶフレーム＃６＿ＴＴ”、“ＤＶフレーム＃９＿ＴＴ”を生成し、バッファメモリ１６に用意している。
【００７４】
図９及び図１０の動作に続いて、図１１に示すように、例えば矢印ＣのタイミングでＤＶフレーム＃３の早送り再生中に早送り再生解除の指示があると、ストリームコントローラ１５によってバッファメモリ１６に転送された１０フレームのうち、早送り再生のために用意された４フレーム分のデータのうちまだ使用していないＤＶデータ＃６、ＤＶデータ＃９のＶＡＵＸデータをトップフィールド固定からトップフィールド→ボトムフィールドを送出するように書き換える。すなわち、ＦＦ＝０、ＦＳ＝１からＦＦ＝１、ＦＳ＝１に変換する。
【００７５】
続いて、ストリームコントローラ１５は、通常の再生順番になるように、ＤＶフレーム＃４、ＤＶフレーム＃５、ＤＶフレーム＃６、・・・の順番にデータ再生処理部１８ａに送る。
【００７６】
以上説明したように、スロー再生、一時停止、早送り再生等、再生モードが切り替わった場合に、バッファメモリ１６上にＤＶフレームを複製し、出力フィールドを指定するフラグを書き換えることにより、再生モードの切り換えに素早く対応することができる。上述した何れの具体例の場合も、復号処理を行うデータ再生処理部１８ａは、単にＦＦフラグ又はＦＳフラグに基づいて復号すればよいため、再生モード設定の必要、再生モードに応じてのストリーム制御等を行う必要がない。
【００７７】
続いて、データ再生装置１による特殊再生処理の第２の具体例について図１２及び図１３を用いて説明する。第２の具体例として示す処理は、元フレームを構成する複数のシーケンスのうちデータ再生処理部１８に出力済みのシーケンスから順に元フレームに続いて出力されるフレームのシーケンスに書き換える方法である。
【００７８】
＜具体例２−１；正方向通常再生から低速度正方向再生が指定された場合＞
第２の具体例は、バッファメモリ１６上でＤＶフレームの複製を行わず、フレームを構成するＤＩＦシーケンス単位でＡＵＸデータの書き換えを行う方法である。すなわち、デコーダに送出済となったＤＩＦシーケンスから順に、次に送出するべきフレームを構成するＤＩＦシーケンスに書き換える。こうすると、１シーケンス送出された後には次のフレームの１シーケンスが用意されることになる。
【００７９】
図１２に示すように、データ再生装置１のストリームコントローラ１５は、システムコントローラ２１に制御されて、ＤＶテープ、ＨＤＤ等のＤＶデータを記録可能なストレージデバイスから送られたＤＶデータのデータストリームを入力し、取得したＤＶデータの１フレームであるＤＶフレーム＃１をバッファメモリ１６に取り込む（図１２；状態Ａ→状態Ｂ）。次に、ＡＵＸデータ書換部１７は、システムコントローラ２１に制御されて、ＤＶフレーム＃１のＡＵＸデータのＦＦフラグとＦＳフラグをＦＦ＝０及びＦＳ＝１に書き換えて“ＤＶフレーム＃１＿ＴＴ”を作成する（図１２；状態Ｂ→状態Ｃ）。
【００８０】
ストリームコントローラ１５は、“ＤＶフレーム＃１＿ＴＴ”によって指定されるようにトップフィールドを繰り返し送出し、その２回目の最後のＤＶフレームの送出を行いながら、送出済みのＤＩＦシーケンスから順に、次のフレームのＤＩＦシーケンスに書き換える（図１２；状態Ｃ→状態Ｄ）。図１２では、ＡＵＸデータのＦＦフラグとＦＳフラグがＦＦ＝０及びＦＳ＝０に書き換えられ、“ＤＶフレーム＃１＿ＢＢ”が生成される様子が示されている。
【００８１】
ＡＵＸデータ書換終了後にＤＶフレームを送出する方法として、図１３に示すように、ストリームコントローラ１５は、最後のＤＩＦシーケンス（ＤＩＦ＿Ｓｅｑ９）を送出した後、次に送出される出力フレームとして書き換えられた“ＤＶフレーム＃１＿ＢＢ”の先頭ＤＩＦシーケンス（ＤＩＦＳｅｑ０）を続けて送出する。これと併行して、最後のＤＩＦシーケンス（ＤＩＦ＿Ｓｅｑ９）のＡＵＸデータのＦＦフラグとフラグをＦＦ＝０及びＦＳ＝０に書き換える。これにより、“ＤＶフレーム＃１＿ＢＢ”が完成する。次に続くＤＶフレームに関しても同様の方法でＡＵＸデータを書き換える。これらの方法によりフィールド精度の特殊再生を実現する。
【００８２】
したがって、上述したデータ再生装置１によれば、フィールド精度での特殊機能を有する専用デコーダを用いなくとも、汎用デコーダによってフィールド精度の特殊再生が実現可能になる。また、バッファサイズを増やすことなくフィールド精度の特殊再生が可能になる。
【００８３】
以上説明したように、上述した具体例によれば、従来、ストリーム制御とＤＶデータの復号処理を行う処理部へのコマンドによって実現していた一時停止、早送り再生、スロー再等の特殊再生を、復号するフィールドを指定するＡＵＸデータをバッファメモリ上にて書き換えることによって、汎用のデコーダを使用して実行することができる。また、特殊再生の種類によって送り出すフィールドが指定されたＤＶフレームをバッファメモリ上に用意することによって、ユーザによる再生モード切り換え要求に対して、迅速に対応することができる。
【産業上の利用可能性】
【００８４】
本発明は、ＤＶデータを入力してこれを再生する、或いは表示装置等のほかの機器に再生信号として出力するＤＶデータの再生機能を有する機器に本発明を適用した場合について説明したが、記録機能をもち合わせた装置に対しても適用できる。
【図面の簡単な説明】
【００８５】
【図１】本発明の具体例として示すデータ再生装置を説明する構成図である。
【図２】ＡＵＸデータのフォーマットを説明する図である。
【図３】ＡＵＸデータのフォーマットを説明する図である。
【図４】ＡＵＸデータのフォーマットを説明する図である。
【図５】上記データ再生装置がフレームを複製しＡＵＸデータを書き換える処理を説明する模式図である。
【図６】（ａ）は、スロー再生スピードが偶数分の１の場合、データ再生処理部に送られるＡＵＸデータ書換終了後のＤＶフレームとデータ再生処理部にて復号されＤＡＣに送出されるＤＶデータを説明する図であり、（ｂ）は、ストリームコントローラがデータ再生処理部にＤＶフレームを入力するタイミングと復号されたＤＶデータがＤＡＣに出力されるタイミングとを示す図である。
【図７】（ａ）は、スロー再生スピードが奇数分の１の場合、データ再生処理部に送られるＡＵＸデータ書換終了後のＤＶフレームとデータ再生処理部にて復号されＤＡＣに送出されるＤＶデータを説明する図であり、（ｂ）は、ストリームコントローラがデータ再生処理部にＤＶフレームを入力するタイミングと復号されたＤＶデータがＤＡＣに出力されるタイミングとを示す図である。
【図８】（ａ）は、一時停止の場合、データ再生処理部に送られるＡＵＸデータ書換終了後のＤＶフレームとデータ再生処理部にて復号されＤＡＣに送出されるＤＶデータを説明する図であり、（ｂ）は、ストリームコントローラがデータ再生処理部にＤＶフレームを入力するタイミングと復号されたＤＶデータがＤＡＣに出力されるタイミングとを示す図である。
【図９】ストリームコントローラがストレージデバイスから送られるＤＶデータストリームから早送り再生に使用するデータを間引いて再生する様子を説明する模式図である。
【図１０】（ａ）は、早送り再生の場合、データ再生処理部に送られるＡＵＸデータ書換終了後のＤＶフレームとデータ再生処理部にて復号されＤＡＣに送出されるＤＶデータを説明する図であり、（ｂ）は、ストリームコントローラがデータ再生処理部にＤＶフレームを入力するタイミングと復号されたＤＶデータがＤＡＣに出力されるタイミングとを示す図である。
【図１１】ストリームコントローラがストレージデバイスから送られるＤＶデータストリームから早送り再生から通常再生に移行する様子を説明する模式図である。
【図１２】上記データ再生装置がフレームを構成する複数のシーケンスのうちデータ再生処理部に出力済みのシーケンスから順に元フレームに続いて出力されるフレームのシーケンスに書き換える方法を説明する模式図である。
【図１３】図１２にて生成されたシーケンスの送出方法を説明する模式図である。
【符号の説明】
【００８６】
１    データ再生装置、  １１    入力インターフェイス、  １２    データ分離部、  １３    データ分離部、  １４    ＡＵＸデータ再生部、  １５    ストリームコントローラ、  １６    バッファメモリ、  １７    ＡＵＸデータ書換部、  １８    データ再生処理部、  １９    ＤＡＣ、  ２０    出力インターフェイス、  ２１    システムコントローラ
【図１】
2005328289.tif 000003
【図２】
2005328289.tif 000004
【図３】
2005328289.tif 000005
【図４】
2005328289.tif 000006
【図５】
2005328289.tif 000007
【図６】
2005328289.tif 000008
【図７】
2005328289.tif 000009
【図８】
2005328289.tif 000010
【図９】
2005328289.tif 000011
【図１０】
2005328289.tif 000012
【図１１】
2005328289.tif 000013
【図１２】
2005328289.tif 000014
【図１３】
2005328289.tif 000015